(57)【要約】【課題】洗濯物の重量によりフレームが中央部を下にした状態で下方に湾曲するおそれのない物干し器を提供する。【解決手段】フレームを４本の吊下げ線２１、２３、２５、２７を介してフック台１１に連結し、当該４本の吊下げ線のうちの２本の吊下げ線２１、２５の両端をそれぞれ各フレーム構成片１の外枠部１ａにおけるコーナー部１ｃ附近に固定し、残りの２本の吊下げ線２３、２７の両端を各フレーム構成片の内枠部１ｂに固定し、当該残りの２本の吊下げ線２３、２７がそれぞれ平面視において前記２本の吊下げ線２１、２５の内側に位置し、かつ、平面視において、前記フック台の中心ａと当該残りの各吊下げ線２３、２７の両端を結ぶ直線ｂ、ｂとの間の距離ｃ、ｃがそれぞれ該フック台の中心ａと各フレーム構成片における外枠部の端部１ａ’までの距離ｄ、ｄの１／２以下になる。【選択図】図１
0003171943.tif 000002
【実用新案登録請求の範囲】
【請求項１】
左右一対のフレーム構成片を中央の回動軸を介して下方向に折り畳み自在に連結してフレームを構成し、該フレームには多数のピンチを吊下げると共に該フレームを４本の吊下げ線（２１）（２３）（２５）（２７）を介してフック台に連結し、該フック台にフックを取り付けてなる物干し器において、
当該４本の吊下げ線のうちの２本の吊下げ線（２１）（２５）の両端をそれぞれ各フレーム構成片の外枠部におけるコーナー部附近に固定し、
当該４本の吊下げ線のうちの残りの２本の吊下げ線（２３）（２７）の両端を各フレーム構成片の内枠部に固定し、当該残りの２本の吊下げ線（２３）（２７）がそれぞれ平面視において前記２本の吊下げ線（２１）（２５）の内側に位置し、かつ、平面視において、前記フック台の中心（ａ）と当該残りの各吊下げ線（２３）（２７）の両端を結ぶ直線（ｂ）（ｂ）との間の距離（ｃ）（ｃ）がそれぞれ該フック台の中心（ａ）と各フレーム構成片における外枠部の端部（１ａ’）までの距離（ｄ）（ｄ）の１／２以下になるようにしたことを特徴とする物干し器。
【請求項２】
前記各フレーム構成片の外枠部は、縦断面における高さ（ｈ）が幅（ｗ）の１．５倍以上であることを特徴とする請求項に記載の物干し器。
【考案の詳細な説明】
【技術分野】
【０００１】
本考案は、洗濯物を吊して干すための物干し器に関するものであり、特に、物干し器のフレームが洗濯物の重量により中央部を下にした状態で下方に湾曲することのないようにした物干し器に係るものである。
【背景技術】
【０００２】
物干し器としては、図１１〜図１４に示すように、左右一対のフレーム構成片１、１を中央の回動軸３を介して下方向に折り畳み自在に連結してフレーム５を構成し、該フレーム５には多数のピンチ（洗濯挟み）７、７…を吊下げると共に該フレーム５を２本の吊下げ線９、１０を介してフック台１１に連結し、該フック台１１にフック１３を取り付けてなるものが既に使用されている。
【０００３】
左右一対のフレーム構成片１、１を中央の回動軸３を介して下方向に折り畳み自在に連結してフレーム５を構成した物干し器を、本明細書においては「下折れ式物干し器」という。
【０００４】
従来の下折れ式物干し器においては、各吊下げ線９、１０は、それぞれ略中央部９ａ、１０ａにてフック台１１の挿通孔に挿通され、両端９ｂ、９ｂ、１０ｂ、１０ｂをそれぞれフレーム５に固定している。すなわち、フレーム５は２本の吊下げ線９、１０により４点にて支持されている。
【０００５】
しかして、従来の下折れ式物干し器においては、２本の吊下げ線９、１０の両端９ｂ、９ｂ、１０ｂ、１０ｂを図１１、図１２に示す如くフレーム５の左右両端附近に固定した場合には、物干し器は安定するものの、重い洗濯物を吊したときには図１１の鎖線に示す如くフレーム５が中央部を下にした状態で湾曲する（反る）おそれがある。
【０００６】
一方、従来の下折れ式物干し器においては、２本の吊下げ線９、１０の両端９ｂ、９ｂ、１０ｂ、１０ｂを図１３、図１４に示す如くフレーム５における回動軸３に近付けた位置に固定した場合には、特に重い洗濯物をフレーム５の左右両端附近に吊したときに図１３の鎖線に示す如くフレーム５が下方に折り畳む方向に回動するおそれがある。
【０００７】
従来の下折れ式物干し器における上述の如き問題を解決するために、本出願人は、実用新案登録第３０８９１７１号公報に示す物干し器（以下「本出願人の先行物干し器」という。）を提案した。
【０００８】
本出願人の先行物干し器は、図８〜図１０に示すように、
左右一対のフレーム構成片１、１を中央の回動軸３を介して下方向に折り畳み自在に連結してフレーム５を構成し、該フレーム５には多数のピンチ７、７…を吊下げると共に該フレーム５を吊下げ線を介してフック台１１に連結し、該フック台１１にフック１３を取り付けてなる物干し器において、
該フレーム５は４本の吊下げ線２１、２３、２５、２７を介してフック台１１に連結し、各吊下げ線２１、２３、２５、２７をそれぞれ略中央部２１ａ、２３ａ、２５ａ、２７ａにてフック台１１の挿通孔３１、３３、３５、３７に挿通し、当該４本の吊下げ線２１、２３、２５、２７のうちの２本の吊下げ線２１、２５の両端２１ｂ、２１ｂ、２５ｂ、２５ｂをそれぞれフレーム５における端部５ａ、５ａ附近に固定し、当該４本の吊下げ線２１、２３、２５、２７のうちの残りの２本の吊下げ線２３、２７の両端２３ｂ、２３ｂ、２７ｂ、２７ｂをそれぞれフレーム５における回動軸３附近に固定したことを特徴とするものである。
【０００９】
本出願人の先行物干し器は、下記の如き効果を発揮するものと考えられていた。
すなわち、物干し器のフレームは４本の吊下げ線によりフレームにおける端部附近の４点と回動軸附近の４点にて支持されている。すなわち、洗濯物の重量によりフレームが中央部を下にした状態で湾曲することは、フレームが２本の吊下げ線により回動軸附近の４点にて支持されることにより、防止される。また、洗濯物の重量によりフレームが下方に折り畳む方向に回動することは、フレームが別の２本の吊下げ線により端部附近の４点にて支持されることにより、防止される。
【先行技術文献】
【特許文献】
【００１０】
【特許文献１】実用新案登録第３０８９１７１号公報
【考案の概要】
【考案が解決しようとする課題】
【００１１】
本出願人の先行物干し器においては、洗濯物の重量によりフレームが下方に折り畳む方向に回動することは、フレームが２本の吊下げ線により端部附近の４点にて支持されることにより、確実に防止されるのであるが、洗濯物の重量によりフレームが中央部を下にした状態で下方に湾曲することは必ずしも防止されないことが判明した。
【００１２】
本考案は、本出願人の先行物干し器におけるこのような問題を解決し、洗濯物の重量によりフレームが中央部を下にした状態で下方に湾曲するおそれのない物干し器を提供しようとしてなされたものである。  
【課題を解決するための手段】
【００１３】
本考案者等による検討、試験等の結果、本出願人の先行物干し器において洗濯物の重量によりフレームが中央部を下にした状態で下方に湾曲する原因は下記の点にあることが判明した。
【００１４】
すなわち、前記４本の吊下げ線２１、２３、２５、２７の両端がすべて各フレーム構成片１の外枠部１ａのみに固定されているためである。
【００１５】
フレーム５は、上述の如く、左右一対のフレーム構成片１、１を中央の回動軸３を介して下方向に折り畳み自在に連結してなるものであり、各フレーム構成片１は、略コ字状の外枠部１ａの内側に内枠部１ｂを一体的に備えさせてなるものである。図９参照。
【００１６】
物干し器においては、洗濯物は、略コ字状の外枠部１ａのみならず、内枠部１ｂにも吊り下げられる。換言すれば、洗濯物の重量は、略コ字状の外枠部１ａのみならず、内枠部１ｂにもかかるのである。しかして、本出願人の先行物干し器においては、各フレーム構成片１の内枠部１ｂが吊下げ線により全く支承されていないため、該内枠部１ｂに吊下げられた洗濯物の重量により該内枠部１ｂが下方に湾曲するのである。
【００１７】
そこで、本考案者等は、前記４本の吊下げ線２１、２３、２５、２７のうちの前記２本の吊下げ線２１、２５の両端２１ｂ、２１ｂ、２５ｂ、２５ｂをそれぞれ各フレーム構成片１の外枠部１ａに固定し、前記残りの２本の吊下げ線２３、２７の両端２３ｂ、２３ｂ、２７ｂ、２７ｂを、各フレーム構成片１の内枠部１ｂにおけるフレーム中央部附近に固定することに想到した。
【００１８】
更に、前記４本の吊下げ線２１、２３、２５、２７のうちの前記残りの２本の吊下げ線２３、２７の両端２３ｂ、２３ｂ、２７ｂ、２７ｂを、各フレーム構成片１の外枠部１ａに固定することに代え、各フレーム構成片１の内枠部１ｂに固定するようにしたことに伴い、本考案者等は、各フレーム構成片１の外枠部１ａの断面形状を改良することにより、該外枠部１ａの下方への湾曲を確実に防止することに想到した。
【００１９】
すなわち、本考案は、下記の物干し器を提供するものである。
【００２０】
（１）左右一対のフレーム構成片を中央の回動軸を介して下方向に折り畳み自在に連結してフレームを構成し、該フレームには多数のピンチを吊下げると共に該フレームを４本の吊下げ線（２１）（２３）（２５）（２７）を介してフック台に連結し、該フック台にフックを取り付けてなる物干し器において、
当該４本の吊下げ線のうちの２本の吊下げ線（２１）（２５）の両端をそれぞれ各フレーム構成片の外枠部におけるコーナー部附近に固定し、
当該４本の吊下げ線のうちの残りの２本の吊下げ線（２３）（２７）の両端を各フレーム構成片の内枠部に固定し、当該残りの２本の吊下げ線（２３）（２７）がそれぞれ平面視において前記２本の吊下げ線（２１）（２５）の内側に位置し、かつ、平面視において、前記フック台の中心（ａ）と当該残りの各吊下げ線（２３）（２７）の両端を結ぶ直線（ｂ）（ｂ）との間の距離（ｃ）（ｃ）がそれぞれ該フック台の中心（ａ）と各フレーム構成片における外枠部の端部（１ａ’）までの距離（ｄ）（ｄ）の１／２以下になるようにしたことを特徴とする物干し器（請求項１）。
【００２１】
（２）前記各フレーム構成片の外枠部は、縦断面における高さ（ｈ）が幅（ｗ）の１．５倍以上である（請求項２）。
【考案の効果】
【００２２】
［請求項１の考案］
請求項１の考案によれば、各フレーム構成片における外枠部と内枠部とがそれぞれ吊下げ線により吊下げられるため、洗濯物の重量によりフレームが中央部を下にした状態で下方に湾曲するおそれはない。
【００２３】
当該４本の吊下げ線のうちの２本の吊下げ線２１、２５の両端をそれぞれ各フレーム構成片の外枠部におけるコーナー部附近に固定しているため、フレームは安定し、洗濯物の重量によりフレームが下方に折り畳む方向に回動するおそれもない。また、フレームのねじれも防止される。
【００２４】
更に、当該４本の吊下げ線のうちの残りの２本の吊下げ線２３、２７の両端を各フレーム構成片の内枠部に固定し、当該残りの２本の吊下げ線２３、２７がそれぞれ平面視において前記２本の吊下げ線２１、２５の内側に位置し、かつ、平面視において、前記フック台の中心ａと当該残りの各吊下げ線２３、２７の両端を結ぶ直線ｂ、ｂとの間の距離ｃ、ｃがそれぞれ該フック台の中心ａと各フレーム構成片における外枠部の端部１ａ’までの距離ｄ、ｄの１／２以下になるようにしたため、各吊下げ線２３、２７の両端は各フレーム構成片の内枠部におけるフレーム中央部附近に固定される。したがって、本出願人の先行物干し器における各フレーム構成片における内枠部の中央部附近が洗濯物の重量により下方に湾曲するという問題は解消する。すなわち、各フレーム構成片における内枠部に重い洗濯物を吊下げたときでも、該内枠部の中央部附近が洗濯物の重量により下方に湾曲するおそれはない。
【００２５】
［請求項２の考案］
請求項２の考案によれば、各フレーム構成片の外枠部は、縦断面における高さｈが幅ｗの１．５倍以上であるため、前記４本の吊下げ線２１、２３、２５、２７のうちの前記残りの２本の吊下げ線２３、２７の両端２３ｂ、２３ｂ、２７ｂ、２７ｂを、各フレーム構成片１の外枠部１ａに固定することに代え、各フレーム構成片１の内枠部１ｂに固定するようにしても、該外枠部１ａの下方への湾曲は確実に防止される。  
【図面の簡単な説明】
【００２６】
【図１】図１は、本考案による物干し器の一例を示す平面図である。
【図２】図２は、同上物干し器の正面図である。
【図３】図３は、同上物干し器の中央部を拡大して示す平面図である。
【図４】図４は、吊下げ線の両端をフレーム構成片の内枠部に固定した状態を示す断面図である。
【図５】図５は、フック台の平面図である。
【図６】図６は、フック台の正面図である。
【図７】図７は、フレーム構成片における外枠部の縦断面である。
【図８】図８は、本出願人の先行物干し器を示す正面図である。
【図９】図９は、同上先行物干し器の平面図である。
【図１０】図１０は、同上先行物干し器におけるフック台を示す断面図である。
【図１１】図１１は、従来の下折れ式物干し器を示す正面図である。
【図１２】図１２は、同上下折れ式物干し器の平面図である。
【図１３】図１３は、従来の別の下折れ式物干し器を示す正面図である。
【図１４】図１４は、同上下折れ式物干し器の平面図である。
【考案を実施するための形態】
【００２７】
以下、本考案による物干し器について添付図面を参照して説明する。なお、本考案による物干し器においては、本出願人の先行物干し器及び従来の下折れ式物干し器と同一又は対応する部分、部品、部材等については、本出願人の先行物干し器及び従来の下折れ式物干し器において使用されている符号と同一の符号を用いる。
【００２８】
まず、本考案による物干し器が本出願人の先行物干し器及び従来の下折れ式物干し器と共通する点について説明する。
【００２９】
本考案による物干し器は、左右一対のフレーム構成片１、１を中央の回動軸３を介して下方向に折り畳み自在に連結してフレーム５を構成し、該フレーム５には多数のピンチ７、７…を吊下げると共に該フレーム５を吊下げ線２１、２３、２５、２７を介してフック台１１に連結し、該フック台１１にフック１３を取り付けてなる物干し器である点においては、本出願人の先行物干し器及び従来の下折れ式物干し器と共通する。
【００３０】
次に、本考案による物干し器が本出願人の先行物干し器及び従来の下折れ式物干し器と異なる点について説明する。
【００３１】
当該４本の吊下げ線２１、２３、２５、２７のうちの２本の吊下げ線２１、２５をそれぞれ略中央部２１ａ、２５ａにて該フック台１１の挿通孔３１、３５に挿通し、各吊下げ線２１、２５の両端２１ｂ、２１ｂ、２５ｂ、２５ｂをそれぞれ各フレーム構成片１の外枠部１ａにおけるコーナー部１ｃ附近に固定する。各挿通孔３１、３５は、左右一対のフレーム構成片１、１を中央の回動軸３を介して下方向に折り畳み自在ならしめるために、左右方向（図１〜図６にける左右方向）に長い長孔とする。
【００３２】
当該４本の吊下げ線２１、２３、２５、２７のうちの残りの２本の吊下げ線２３、２７をそれぞれフック台１１に関連させると共に、各吊下げ線２３、２７の両端２３ｂ、２３ｂ、２７ｂ、２７ｂを各フレーム構成片１、１の内枠部１ｂ、１ｂに固定する。
【００３３】
各吊下げ線２３、２７をそれぞれフック台１１に関連させるに当り、左右一対のフレーム構成片１、１を中央の回動軸３を介して下方向に折り畳み自在ならしめるために、一例として、各吊下げ線２３、２７をそれぞれ略中央部２３ａ、２７ａにて連結杆４１、４３の長孔４１ａ、４３ａに挿通し、各連結杆４１、４３の一端４１ｂ、４３ｂをフック台１１の両端に備えさせた支持孔４５、４７に回動自在に支持させる。
【００３４】
当該残りの２本の吊下げ線２３、２７がそれぞれ平面視において前記２本の吊下げ線２１、２５の内側に位置し、かつ、平面視において、前記フック台１１の中心ａと当該残りの各吊下げ線２３、２７の両端２３ｂ、２３ｂ及び２７ｂ、２７ｂを結ぶ直線ｂ、ｂとの間の距離ｃ、ｃがそれぞれ該フック台１１の中心ａと各フレーム構成片１、１における外枠部１ａ、１ａの端部１ａ’、１ａ’までの距離ｄ、ｄの１／２以下になるようになす。図１参照。
【００３５】
各吊下げ線２１、２３、２５、２７は一例として金属線を合成樹脂製被膜により被覆してなる被覆線である。
【００３６】
前記各フレーム構成片１の外枠部１ａは、好ましくは、縦断面における高さｈが幅ｗの１．５倍以上である。図７参照。
【符号の説明】
【００３７】
１  フレーム構成片
１ａ  外枠部
１ａ’  端部
１ｂ  内枠部
１ｃ  コーナー部
３  回動軸
５  フレーム
７  ピンチ
１１  フック台
１３  フック
２１  吊下げ線
２１ａ  略中央部
２１ｂ  端
２３  吊下げ線
２３ａ  略中央部
２３ｂ  端
２５  吊下げ線
２５ａ  略中央部
２５ｂ  端
２７  吊下げ線
２７ａ  略中央部
２７ｂ  端
３１  挿通孔
３５  挿通孔
４１  連結杆
４１ａ  長孔
４１ｂ  一端
４３  連結杆
４３ａ  長孔
４３ｂ  一端
４５  支持孔
４７  支持孔
【図１】
0003171943.tif 000003
【図２】
0003171943.tif 000004
【図３】
0003171943.tif 000005
【図４】
0003171943.tif 000006
【図５】
0003171943.tif 000007
【図６】
0003171943.tif 000008
【図７】
0003171943.tif 000009
【図８】
0003171943.tif 000010
【図９】
0003171943.tif 000011
【図１０】
0003171943.tif 000012
【図１１】
0003171943.tif 000013
【図１２】
0003171943.tif 000014
【図１３】
0003171943.tif 000015
【図１４】
0003171943.tif 000016
【手続補正書】
【提出日】平成23年9月28日(2011.9.28)
【手続補正１】
【補正対象書類名】実用新案登録請求の範囲
【補正対象項目名】請求項２
【補正方法】変更
【補正の内容】
【請求項２】
前記各フレーム構成片の外枠部は、縦断面における高さ（ｈ）が幅（ｗ）の１．５倍以上であることを特徴とする請求項１に記載の物干し器。